(57)【特許請求の範囲】
【請求項１】
地中に埋設される排水管路に接続される接続口を有し上部に掃除口が取付けられる桝本体部と、
この桝本体部の下部に配設され、この桝本体部が載置される合成樹脂製の排水桝用台座とを備え、
この排水桝用台座は、前記桝本体部の下側の外面形状に対応する形状を有する収納用凹部を形成することにより、この収納用凹部の内面のほぼ全体を前記桝本体部に接触させてこの桝本体部を支持する排水桝であって、
前記桝本体部は、筒状の桝本体と、排水流入管を接続するために前記桝本体に設けられた少なくとも一つの入口側接続口と、排水流出管を接続するために前記桝本体に設けられた出口側接続口と、前記桝本体の下部に設けられた脚部とを備え、
前記排水桝用台座は、合成樹脂製発泡体により一体的に形成された成形体で、前記排水桝用台座の底面をほぼ平面状にし、
前記収納用凹部は、
前記桝本体の下面を支持するとともに、前記脚部を収納するための脚部収納部が形成された桝本体支持面と、
この桝本体支持面に連続して形成され前記入口側接続口の下面を支持する入口側接続口支持面と、
前記桝本体支持面に連続して形成され前記出口側接続口の下面を支持する出口側接続口支持面とにより構成されたことを特徴とする排水桝。
【請求項２】
前記排水管路の勾配にほぼ一致するように前記収納用凹部の全体に所定の勾配を設けることにより、
前記桝本体部が、前記排水桝用台座に載置された状態で前記排水管路の前記勾配とほぼ同一の勾配を有するようにしたことを特徴とする請求項１に記載の排水桝。
【請求項３】
地中に埋設される排水管路に接続される接続口を有し上部に掃除口が取付けられる桝本体部の下部に配設され、この桝本体部が載置される合成樹脂製の排水桝用台座であって、
前記桝本体部の下側の外面形状に対応する形状を有する収納用凹部が形成され、この収納用凹部の内面のほぼ全体を前記桝本体部に接触させてこの桝本体部を支持し、
前記排水管路の勾配にほぼ一致するように前記収納用凹部の全体に所定の勾配を設けることにより、前記桝本体部が、前記排水桝用台座に載置された状態で前記排水管路の前記勾配とほぼ同一の勾配を有するようにしたことを特徴とする排水桝用台座。
【発明の詳細な説明】
【０００１】
【発明の属する技術分野】
本発明は、地中に埋設される排水管路に接続される排水桝及び排水桝用台座に係り、例えば、宅地内又は宅地外に設置される排水桝及びこの排水桝に使用される台座に関する。
【０００２】
【従来の技術】
家庭の風呂，台所の流し台，洗面所，トイレ等から排出される排水は、宅地内の地中に埋設された排水導入管を流れ、合流地点に設置された宅内桝で合流したのち排水主管を流れ、宅地内又は宅地外に設置された公共桝とこれに接続される排水流出管とを介して、宅地外の公共の下水道本管に排出される。
【０００３】
前記宅内桝は、宅地内に設置され、各種構造のインバート部を有する桝のことであり、必要に応じてトラップが設けられている場合もある。前記公共桝は、宅地内又は宅地外に設置されて、宅地内の排水を宅地外の下水道本管に流し込むための最終の桝のことである。
公共桝，取付け桝と呼ばれる排水桝も宅内桝の一種で、一般的には全て排水桝と呼ばれているものであり、これらの排水桝は、硬質の塩化ビニル樹脂など合成樹脂を材料として形成されている。
宅内桝，公共桝など排水桝には、上部に掃除口が取付けられ、この掃除口の上端部は蓋により閉塞されている。前記排水導入管，宅内桝，排水主管，公共桝，排水流出管及び公共の下水道本管等により構成される排水管路は、雨水や地下水等いわゆる不明水が浸入して排水の量が増加しないように全体的に密閉構造になっている。
【０００４】
【発明が解決しようとする課題】
排水桝の下部には、この排水桝を設置するための脚部が設けられているが、排水桝を軽量化するために、脚部はその底面の断面積が小さいような細い形状をなしていることが多い。
そのため、下水道工事で排水桝を設置する際に、安定性の悪い場所だと、脚部が沈んで排水桝が不安定な姿勢になる場合があった。特に、設置場所の地盤が軟弱な場合には脚部の位置決めが更に難しいので、排水桝を安定した姿勢で設置するのが困難であった。
【０００５】
脚部をしっかりと支持するために、例えば、実公昭５０−３９９６６号公報及び実開平７−１００４４号公報等に記載されているような板材を使用し、この板材の上に脚部を載せた状態で排水桝を設置する場合もあった。
排水桝をほぼ水平に位置決めするには、前記従来の板材を水平に置く必要があるが、板材が小さいと安定性に欠け、板材が大きいとこれを水平に設置するのはかなり困難である。また、板材の板厚が薄いとその剛性が低く、板材を厚くすると重くなって取扱いが困難になる。
【０００６】
また、排水桝は複雑な形状をなしているので、設置後に土砂を埋め戻した際に、板材とその上に載っている排水桝との間に、土砂が充填されていない空隙部又は土砂の充填の不十分な部分が生じる恐れがある。
このような空隙部等があると、設置済みの排水桝に上部から荷重が掛かることにより、排水桝が沈んだりその姿勢が変化する可能性がある。すると、排水管路の勾配が変わって、排水が逆流するといったトラブルが生じる恐れがある。
【０００７】
ところで、排水を良好に自然流下させるために、排水管路には、下流側にいくに従って位置が下がるような上述の勾配（例えば、１／１００ないし２／１００の勾配）が設けられている。
排水桝も排水管路の一部を構成しているので、排水桝が排水管路の勾配とほぼ同じ勾配を有していれば、排水桝への排水流入管及び排水流出管の接続が容易になり、排水も排水桝の内部流路を良好に流れることになる。
【０００８】
そのため、従来の排水桝には、排水桝自体が所定の勾配を有するような形状に全体が一体的に成形されたものが多かった。
しかも、Ｌ形の曲がりタイプの排水桝において排水の流れ方向が逆になる場合や、入口側接続口が二つあるようなＴ形の排水桝において横方向の排水流入位置が１８０度反対側になるような場合には、それぞれの形状及び勾配に合うような専用の金型により、異なる種類の排水桝を成形する必要があった。
その結果、専用金型及び排水桝が極めて多種類になり、製造，製品管理等が煩雑でコストもかかっていた。
【０００９】
本発明は、斯かる課題を解決するためになされたもので、安定性の悪い場所でも桝本体部を安定した姿勢で簡単に設置することができる排水桝及び排水桝用台座を提供することを目的とする。
また、本発明の別の目的は、排水桝に勾配を設ける場合に桝本体部の種類を少なくすることである。
【００１０】
【課題を解決するための手段】
上述の目的を達成するため、本発明に係る排水桝は、地中に埋設される排水管路に接続される接続口を有し上部に掃除口が取付けられる桝本体部と、この桝本体部の下部に配設され、この桝本体部が載置される合成樹脂製の排水桝用台座とを備え、この排水桝用台座は、前記桝本体部の下側の外面形状に対応する形状を有する収納用凹部を形成することにより、この収納用凹部の内面のほぼ全体を前記桝本体部に接触させてこの桝本体部を支持する排水桝であって、前記桝本体部は、筒状の桝本体と、排水流入管を接続するために前記桝本体に設けられた少なくとも一つの入口側接続口と、排水流出管を接続するために前記桝本体に設けられた出口側接続口と、前記桝本体の下部に設けられた脚部とを備え、前記排水桝用台座は、上から見た時の全体の外形がほぼ矩形状になるように合成樹脂製発泡体により一体的に形成された成形体で、前記排水桝用台座の底面をほぼ平面状にし、前記収納用凹部は、前記桝本体の下面を支持するとともに、前記脚部を収納するための脚部収納部が形成された桝本体支持面と、この桝本体支持面に連続して形成され前記入口側接続口の下面を支持する入口側接続口支持面と、前記桝本体支持面に連続して形成され前記出口側接続口の下面を支持する出口側接続口支持面とにより構成されている。
【００１１】
前記排水管路の勾配にほぼ一致するように前記収納用凹部の全体に所定の勾配を設けることにより、前記桝本体部が、前記排水桝用台座に載置された状態で前記排水管路の前記勾配とほぼ同一の勾配を有するように構成するのが好ましい。
【００１２】
本発明に係る排水桝用台座は、地中に埋設される排水管路に接続される接続口を有し上部に掃除口が取付けられる桝本体部の下部に配設され、この桝本体部が載置される合成樹脂製の排水桝用台座であって、前記桝本体部の下側の外面形状に対応する形状を有する収納用凹部が形成され、この収納用凹部の内面のほぼ全体を前記桝本体部に接触させてこの桝本体部を支持し、前記排水管路の勾配にほぼ一致するように前記収納用凹部の全体に所定の勾配を設けることにより、前記桝本体部が、前記排水桝用台座に載置された状態で前記排水管路の前記勾配とほぼ同一の勾配を有している。
【００１３】
【発明の実施の形態】
以下、本発明における排水桝の実施の形態の一例を、図１ないし図５を参照して説明する。
上述のように、排水桝には形状的に各種のものがあるが、下記の第１，第２の実施形態では、本発明を公共桝に適用した例を示している。
【００１４】
（第１の実施形態）
図１は第１の実施形態に係る公共桝の分解斜視図、図２は前記公共桝の組立斜視図、図３は前記公共桝を使用した排水管路の部分断面図である。
図１ないし図３に示すように、各家庭の流し台，風呂など排水発生源から排出される排水は、排水発生源に接続された排水導入管を流れて合流地点で排水流入管（排水主管）１に合流する。この合流地点には、排水桝の一つである宅内桝が排水発生源毎に設置されている。
【００１５】
宅内桝を通って排水流入管１を流れた排水は、宅地内又は宅地外に設置された別の排水桝である公共桝２を通り、排水流出管３を流れて宅地外の大口径の公共の下水道本管に合流する。
この下水道本管は、宅地外の道路等の地下深く埋設されている。公共桝２は、排水をスムーズに自然流下させるために、下水道本管の斜め上方に位置するように地中に埋設されている。
【００１６】
傾斜して設置される排水流出管３の下流側が下水道本管に接続され、排水流出管３の上流側は、公共桝２の出口側接続口４に接続されている。排水導入管，宅内桝，排水流入管１，公共桝２，排水流出管３及び下水道本管等により、地中に埋設されて所定の勾配を有する排水管路５が構成されている。
下水道工事に際しては、まず、自治体の行ういわゆる面整備事業等で、下水道本管から排水流出管３及び公共桝２までを接続して埋設設置し、その後、宅地内に家屋等を建築する際に、宅地内の排水管路５を設置する下水道工事を行う。
【００１７】
次に、公共桝２について説明する。
公共桝２は、地中に埋設される排水管路５に接続される接続口（出口側接続口４及び入口側接続口１３）を有するとともに上部に掃除口６が取付けられる桝本体部７と、桝本体部７の下部に配設され、桝本体部７が載置される合成樹脂製の排水桝用台座としての公共桝用台座（以下、台座と記載）８とを備えている。
台座８は、桝本体部７の下側の外面形状９に対応する形状を有する収納用凹部１０を形成することにより、収納用凹部１０の内面のほぼ全体を桝本体部７に接触させてこの桝本体部７を支持するようにしている。
【００１８】
桝本体部７は、硬質の塩化ビニル樹脂，ポリプロピレン，繊維強化プラスチック（ＦＲＰ）など合成樹脂を材料として成形されている。
桝本体部７は、上部に掃除口６が取付けられる筒状の桝本体１２と、排水流入管１を接続するために桝本体１２に設けられた少なくとも一つの入口側接続口１３と、排水流出管３を接続するために桝本体１２に設けられた出口側接続口４と、桝本体部７を設置するために桝本体１２の下部に設けられた脚部１１とを備えている。
【００１９】
接続筒１４が、桝本体１２の一部をなして上方に一体的に突出形成されている。接続筒１４は、掃除管１５の下端部が嵌合可能なソケット状の受口になっているので、掃除管１５は接続筒１４に上方に向けて接続される。
掃除管１５の上端には、地面部Ｇに位置する蓋受け枠１６が取付けられ、蓋受け枠１６には、掃除口６を閉塞するための蓋１７が着脱自在に取付けられている。接続筒１４，掃除管１５，蓋受け枠１６及び蓋１７により、公共桝２用の掃除口６が構成されている。
【００２０】
桝本体１２の側方には、複数（例えば、三つ）の入口側接続口１３が、９０度ずつ離れた方向に一体的に突出形成されている。
公共桝２が設置された時に縦方向（例えば、ほぼ垂直方向）を向く桝本体１２の中心軸線Ｃ１ に対して、各入口側接続口１３の中心軸線Ｃ２ は、ほぼ直交した横方向（即ち、ほぼ水平方向）を向いているか、又は排水をながれ易くするために若干上方に傾斜している。
入口側接続口１３はソケット状の受口又はパイプ状の差口になっており、排水流入管１が嵌合接続できるようになっている。
【００２１】
桝本体１２の下部側方には、出口側接続口４が入口側接続口１３より下方に位置して一体的に突出形成されている。出口側接続口４もソケット状の受口又はパイプ状の差口になっており、排水流出管３が嵌合接続できるようになっている。
出口側接続口４の中心軸線Ｃ３ は、縦方向を向く桝本体１２の中心軸線Ｃ１ に対して横方向を向いており、例えば、中心軸線Ｃ１ に対して垂直になっているか、又は排水を流れ易くするために若干下方に傾斜している。
出口側接続口４は、隣の入口側接続口１３より９０度離れた方向を向いているので、三つの入口側接続口１３と一つの出口側接続口４は十文字状に配置されている。
桝本体１２の下部には、中心軸線Ｃ１ とほぼ平行に下方に突出して対向配置された一対の脚部１１が一体的に形成されている。脚部１１は、桝本体部７を安定した状態で設置するために設けられているが、本発明では台座８を使用するので脚部１１がない場合であってもよい。
【００２２】
台座８は、上から見た時の全体の外形がほぼ矩形状になるように発泡ポリスチレン樹脂により一体的に形成された成形体になっており、台座８の底面３０がほぼ平面状をなしている。
発泡ポリスチレン樹脂の成形体は、空気を多量に内蔵しているので、軽量且つ安価で衝撃緩衝性に優れ、任意の複雑な形状に加工することが容易で、土の中でも腐食せず寿命が長い等の利点を有している。
なお、台座８は、軽量で耐腐食性を有していればよいので、ポリスチレン樹脂以外の合成樹脂、例えば、ポリウレタン樹脂，ポリエチレン樹脂，ポリプロピレン樹脂などの発泡体又はソリッドの成形体であってもよい。また、これらの樹脂の再生品であってもよい。
【００２３】
台座８の上面３１に形成された収納用凹部１０は、桝本体１２の下面を支持する桝本体支持面３３と、桝本体支持面３３に連続して形成され、入口側接続口１３の下面を支持する入口側接続口支持面３４と、桝本体支持面３３に連続して形成され、出口側接続口４の下面を支持する出口側接続口支持面３５とにより構成されている。
桝本体支持面３３は、桝本体１２の下面と嵌合可能な窪んだ形状になっており、桝本体支持面３３には、一対の脚部１１を収納するための一対の脚部収納部３２が形成されている。
【００２４】
桝本体部７が三つの入口側接続口１３を有しているので、台座８にも、三つの入口側接続口支持面３４が入口側接続口１３に対応して９０度ずつ離れた方向に形成されている。入口側接続口支持面３４は、入口側接続口１３の下面と嵌合可能なほぼ半円筒状に窪んだ形状になっている。
台座８に形成された出口側接続口支持面３５も、出口側接続口４の下面と嵌合可能なほぼ半円筒状に窪んだ形状になって、出口側接続口４に対応する位置に設けられている。
したがって、桝本体部７を図１の矢印Ｂに示すように台座８に装着すれば、一対の脚部１１が一対の脚部収納部３２に入り、収納用凹部１０の内面のほぼ全体が桝本体部７の下部に接触してこの桝本体部７を支持する。
これにより、図２に示すように台座８を含む公共桝２が構成され、この公共桝２を設置現場に設置することになる。
【００２５】
上述の面整備事業等の下水道工事では、公共桝２に掃除口６を取付けて、下水道本管から排水流出管３を介して公共桝２までの排水管路５の設置工事を行う。この時、台座８の底面３０の面積が大きく且つほぼ平面状をなしているので、安定性の悪い場所でも、桝本体部７を安定した姿勢で簡単に設置することができる。
台座８は、発泡ポリスチレン樹脂製で軽量であり、底面３０の面積が大きいので、例え設置場所が軟弱な地盤であっても、従来のように桝本体部７が沈んだり傾いたりすることは殆どなく、安定した状態で精度よく設置することができる。また、台座８は軽量なので設置工事の際の取扱いも容易である。
全ての入口側接続口１３の開口部は、土砂や水等が桝本体部７内に浸入しないように密閉用の蓋により閉塞し、この状態で公共桝２以降の排水管路５を地中に埋設して、宅地内の下水道工事を待つことになる。
【００２６】
その後、宅地内に家屋など建築物が建造される際の下水道工事では、宅地内の排水管路５の排水流入管１が公共桝２に接続される。この場合には、公共桝２及び掃除口６の周囲を掘り起こして、公共桝２を露出させる。この作業時に、台座８の容積が大きいので、公共桝２は動き難く位置ずれを殆ど起こさない。
そして、入口側接続口１３に取付けてあった密閉用の蓋を取り外して開口させ、排水流入管１を入口側接続口１３に嵌合接続する。
【００２７】
こうして、入口側接続口１３に排水流入管１を嵌合固定し、宅地内の排水管路５を公共桝２に接続する作業が完了した後、土砂を埋め戻すことにより排水管路５は地中に埋設される。
この排水管路５において、住宅の流し台等から排出された排水は、自然流下で排水導入管，合流地点の宅内桝及び排水流入管１を流れ、公共桝２を通って排水流出管３から下水道本管に流れ込む。
排水管路５を清掃する場合には、掃除口６の上部の蓋１７を取り外した状態で、掃除管１５の上部開口部から下方に向かって可撓性の掃除具を挿入すると、公共桝２の内部，排水流入管１及び排水流出管３の清掃ができる。
【００２８】
（第２の実施形態）
図４は本発明の第２の実施形態に係る宅内桝の組立分解斜視図で図１相当図、図５は宅内桝の使用例を示す概略平面図である。
なお、第１の実施形態と同一又は相当部分には同一符号を付してその説明を省略し、異なる部分のみ説明する。
【００２９】
図４に示す宅内桝４０も排水桝の一種であり、排水管路に接続するための接続口がＬ形をなす曲がりタイプである。
宅内桝４０は、入口側接続口４１と出口側接続口４とを有し上部に掃除口が取付けられる桝本体部４３と、桝本体部４３の下部に配設され、桝本体部４３が載置される合成樹脂製の排水桝用台座である宅内桝用台座（以下、台座と記載）４４とを備えている。
台座４４には、桝本体部４３の下側の外面形状４５に対応する形状を有する収納用凹部４６が形成されている。収納用凹部４６の内面のほぼ全体を桝本体部４３に接触させて、台座４４で桝本体部４３を支持している。
【００３０】
桝本体部４３は、筒状の桝本体４７と、排水流入管１を接続するために桝本体４７の下部側方に設けられた入口側接続口４１と、排水流出管３を接続するために桝本体４７の下部側方に設けられた出口側接続口４と、桝本体４７の下部に設けられた脚部５１とを備えている。
入口側接続口４１と出口側接続口４は、ほぼ９０度離れた方向を向いて桝本体４７に一体的に突出形成されている。台座４４は、上から見た時の全体の外形がほぼ正方形をなしており、収納用凹部４６の構成以外は第１の実施形態の台座８とほぼ同じ構成である。
【００３１】
収納用凹部４６は、桝本体４７の下面を支持するとともに一対の脚部収納部３２が形成された桝本体支持面４８と、桝本体支持面４８に連続して形成され、入口側接続口４１の下面を支持する入口側接続口支持面４９と、桝本体支持面４８に連続して形成され、出口側接続口４の下面を支持する出口側接続口支持面５０とにより構成されている。
桝本体支持面４８には、脚部５１を収納するための脚部収納部５２が形成されている。
図４に示す軸線Ｃ１ ，Ｃ２ ，Ｃ３ は、水平に位置決めされた台座４４に対して仮に桝本体部４３を同じく水平に配置した場合の、桝本体４７，入口側接続口４１，出口側接続口４の中心軸線をそれぞれ示している。
【００３２】
本実施形態では、排水管路５（図３）の勾配にほぼ一致するように、台座４４の収納用凹部４６の全体に所定の勾配を設けることにより、桝本体部４３が、台座４４に載置された状態で排水管路５の前記勾配とほぼ同一の勾配を有するようにしている。
そのために、台座４４において、出口側接続口支持面５０に対して入口側接続口支持面４９の位置を相対的に上方に配置し且つ傾斜させている。
即ち、入口側接続口４１の中心軸線Ｃ２ の方向に関して、入口側接続口支持面４９の中心軸線Ｏ２ を、桝本体部４３が水平状態の時の入口側接続口４１の中心軸線Ｃ２ に対して所定角度θだけ上方に傾斜するように、上流側を持ち上げている。
【００３３】
これと同様に、出口側接続口４の中心軸線Ｃ３ の方向に関しては、出口側接続口支持面５０の中心軸線Ｏ３ を、桝本体部４３が水平状態の時の出口側接続口４の中心軸線Ｃ３ に対して所定角度αだけ下方に傾斜するように、下流側の位置を下げている。
また、桝本体支持面４８も、入口側接続口支持面４９と出口側接続口支持面５０との位置に対応させて、排水管路の勾配にほぼ一致するように全体的に傾斜した形状になっている。
【００３４】
一方、桝本体部４３自体には勾配は設けられていない。全体的に所定の勾配を有する収納用凹部４６に桝本体部４３を矢印Ｂに示すように装着し、収納用凹部４６の内面のほぼ全体を桝本体部４３に接触させて、桝本体部４３を台座４４で支持する。
この時、台座４４の底面３０を水平状態にしておけば、桝本体４７の中心軸線Ｃ１ａは、桝本体部４３が水平状態の時の桝本体４７の中心軸線Ｃ１ より所定角度β傾いた状態になり、入口側接続口４１が上方に傾き、出口側接続口４が下方に傾く。
その結果、桝本体部４３は、排水管路５の勾配とほぼ同一の勾配を有して若干傾いた状態で台座４４上に載置されることになる。
【００３５】
このように、桝本体部４３自体には勾配を設けなくても、台座４４の収納用凹部４６に所定の勾配を設けることにより、所望の勾配を有する宅内桝４０を容易に実現することができる。
上方に傾いた入口側接続口４１の中心軸線と、排水流入管１の中心軸線とが精度よく一致し、また、下方に傾いた出口側接続口４の中心軸線と、排水流出管３の中心軸線とが精度よく一致することになる。
これにより、排水流出管３を出口側接続口４に嵌合させて容易に接続することができ、同様に、排水流入管１を入口側接続口４１に嵌合させて容易に接続することができる。
【００３６】
従来のように、勾配のある桝本体部を製造する場合には、専用の金型を用いて塩化ビニル樹脂等により一体成形するので、その製造装置は大掛かりになり製造コストも高い。
これに対して、本実施形態によれば、桝本体部４３自体に勾配を設けなくても、成形の容易な発泡ポリスチレン樹脂製などの台座４４の収納用凹部４６に所定の勾配を設ければよいので、宅内桝４０に容易に且つ安価に所望の勾配を設けることができる。
【００３７】
図５（Ａ）は、Ｌ形の曲がりタイプの排水桝（例えば、宅内桝４０）の場合を示しており、排水は、矢印Ｄに示すように、桝本体部４３の入口側接続口４１から桝本体４７内を通って出口側接続口４に左曲がりに流れる。
一方、図５（Ｂ）に示すように、図５（Ａ）と同一のＬ形の曲がりタイプの桝本体部４３を用いて、排水を、矢印Ｄ１ に示すように、出口側接続口４から入口側接続口４１の方向に右曲がりに流したい場合には、台座４４の収納用凹部４６の全体の勾配を変えればよい。即ち、出口側接続口支持面５０（図４）に対して入口側接続口支持面４９（図４）が相対的に下がるような勾配を、収納用凹部４６の全体に設けることになる。
このように、排水の流れ方向が左曲がり（図５（Ａ））及び右曲がり（図５（Ｂ））のいずれの場合でも、収納用凹部４６の勾配の方向を変えるだけで、同じ桝本体部４３を兼用することができる。
【００３８】
本第２実施形態によれば、桝本体部４３自体に勾配を設けなくても、収納用凹部４６に所定の勾配を設けることにより、桝本体部４３が、排水管路の勾配とほぼ同一の勾配を有する。これにより、桝本体部に勾配を設けるための専用の金型が不要になり、桝本体部４３の種類も少なくてすみ、製造及び製品管理等が容易になる。
また、図５（Ａ），（Ｂ）に示す宅内桝４０の場合には、同一の桝本体部４３を兼用できるので、桝本体部４３の種類を更に少なくすることができる。
【００３９】
従来の排水桝に設けられていた設置用の脚のみでは排水桝が不安定な姿勢になりがちであったが、第１，第２の実施形態で示した排水桝（公共桝，宅内桝）によれば、設置面積の大きい台座８，４４が桝本体部７，４３の下面の全体をしっかりと支持しているので、安定性の悪い場所でも、桝本体部を安定した姿勢で簡単に設置することができる。
また、本発明の排水桝によれば、設置済みの排水桝に上部から荷重が掛かっても、しかも設置場所が軟弱な地盤であっても、荷重が排水桝の全体に分散されるので排水桝の安定性がよい。
【００４０】
桝本体部７，４３は、突出部が多い複雑な形状で取扱いが困難であるが、桝本体部を台座８，４４に載置した構成にしたので、作業者は矩形状の台座を持って取り扱えばよく、製造，貯蔵，搬送及び設置等の作業が容易である。
また、収納用凹部１０，４６に装着された桝本体部７，４３は、衝撃緩衝性に優れている発泡ポリスチレン樹脂製の台座８，４４により保護されているので、製造，貯蔵，搬送及び設置作業等の際に、桝本体部が何かにぶつかって破損するというような事故を防止することができる。また、台座自体は軽量なので、前記作業時の負担が少なくてすむ。
なお、桝本体部７，４３を保護するためには、この桝本体部は台座８，４４の周囲に大きくはみ出さないのが好ましいので、本発明の排水桝２，４０では、接続口４，１３，４１を、台座の外周縁とほぼ面一か又は内方に位置するように配置している。
【００４１】
台座８，４４自体の実質的な容積は、桝本体部の実質的な容積と比べて大きいが、排水桝を倉庫等に並べて貯蔵したり搬送したりする場合等に、台座は隣合う桝本体部同士の間の間隙部に入っている。そのため、排水桝が台座を備えていても、台座用の新たなスペースは殆ど必要なく、排水桝全体のボリュームの増大にはならない。
また、台座が矩形状なので、排水桝を輸送する際には縦横方向に隙間なく規則的に並べることができるので、がたつくことなく安定した状態で輸送することができ、貯蔵のスペースも少なくて済む。
【００４２】
従来、発泡ポリスチレン樹脂の成形体は、各種製品の梱包材として広く使用されており、使用後は廃棄されることが多い。
これに対して、本発明では、発泡ポリスチレン樹脂の成形体を、排水桝の必須の構成部品である台座として積極的に使用するとともに、台座を桝本体部の梱包材としても使用しているので、この台座は、梱包材としての機能と必須の部品としての機能とを経時的に順次発揮する。
即ち、本発明の台座は、排水桝が設置現場に設置される以前は梱包材としての機能を発揮するが、排水桝の設置工事の際及びそれ以降は、排水桝の部品を構成して桝本体部を支持する機能を発揮する。台座は、桝本体部を支持した状態で地中に埋設されるので設置後に廃棄されない。
【００４３】
また、本発明の排水桝では、収納用凹部１０，４６の内面のほぼ全体が桝本体部７，４３に接触するので、この桝本体部が複雑な形状であるにも拘らず、台座８，４４と桝本体部との間には殆ど隙間ができない。
そのため、排水桝を設置して土砂を埋め戻した時に、桝本体部の下面側に空隙部が生じる可能性は少ないので、設置済みの排水桝に上部から荷重が掛かっても、桝本体部が沈んだりその姿勢が変化したりする恐れは少ない。
したがって、前記空隙部により排水管路の勾配が変わって排水が逆流するといった従来のトラブルを防止することができる。
また、台座８，４４の底面３０がほぼ平面状なので、フラットな状態の土又はコンクリートの上に台座を精度よく設置することができる。
【００４４】
台座８，４４は、全体の外形がほぼ矩形状の場合を示したが矩形状に限らず任意の形状であってもよい。また、台座８，４４に対して、桝本体部７，４３を着脱可能にしてもよく、又は接着剤で固着してもよい。
第１，第２の実施形態で示した排水桝の構成を任意に組み合わせることにより、バラエティーに富んだ排水桝にすることができる。また、設置場所の地盤が硬くて安定した姿勢で設置できれば、桝本体部７，４３を、単独で排水桝として使用することも可能である。
【００４５】
本発明の排水桝は、桝本体部に排水桝用台座を設ける構成であれば、宅内桝の一種である取付け桝や宅外に設置される排水桝等であってもよく、安定性の悪い場所でも排水桝を安定した姿勢で簡単に設置することができる。
なお、各図中同一符号は同一又は相当部分を示す。
【００４６】
【発明の効果】
本発明は上述のように構成したので、安定性の悪い場所でも桝本体部を安定した姿勢で簡単に設置することができる。
また、排水桝用台座の収納用凹部に所定の勾配を設けることにより、排水桝に勾配をもたせることができるので、桝本体部の種類を少なくすることができる。
【図面の簡単な説明】
【図１】  図１ないし図５は本発明の実施形態の一例を示す図で、図１は第１の実施形態に係る公共桝の組立分解斜視図である。
【図２】  前記公共桝の組立斜視図である。
【図３】  前記公共桝を使用した排水管路の部分断面図である。
【図４】  第２の実施形態に係る宅内桝の組立分解斜視図で、図１相当図である。
【図５】  第２の実施形態に係る宅内桝の使用例を示す概略平面図である。
【符号の説明】
１    排水流入管
２    公共桝（排水桝）
３    排水流出管
４    出口側接続口（接続口）
５    排水管路
７，４３    桝本体部
８    公共桝用台座（排水桝用台座）
９，４５    下側の外面形状
１０，４６    収納用凹部
１１，５１    脚部
１２，４７    桝本体
１３，４１    入口側接続口（接続口）
１５    掃除口
３０    底面
３２，５２    脚部収納部
３３，４８    桝本体支持面
３４，４９    入口側接続口支持面
３５，５０    出口側接続口支持面
４０    宅内桝（排水桝）
４４    宅内桝用台座（排水桝用台座）
【図１】
0003685614.tif 000002
【図２】
0003685614.tif 000003
【図３】
0003685614.tif 000004
【図４】
0003685614.tif 000005
【図５】
0003685614.tif 000006